(57)【要約】【課題】一度開封した箱にその痕跡を顕著に残す。【解決手段】この箱では、正面板１２に内側、外側の破断線Ｃ１１、Ｃ１２を備え、内側、外側の破断線Ｃ１１、Ｃ１２の繋ぎ部はそれぞれ、外側、内側の破断線Ｃ１２、Ｃ１１の切り込み部に対向して形成され、蓋の開封の際、破断部Ｆ１を押し破ることにより破断部Ｆ１を正面板１２から切り離し、破断部Ｆ１の切り離しの作用により内側の破断線Ｃ１１の繋ぎ部で内側、外側の各破断線Ｃ１１、Ｃ１２間の中間部分Ｃ１３を引張り歪み変形させるとともに、中間部分Ｃ１３を外側の破断線Ｃ１２の繋ぎ部で止めて外側の破断線Ｃ１２に沿って残す。【選択図】図２
2020158179.tif 000002
【特許請求の範囲】
【請求項１】
板紙から形成され、箱の正面、背面及び左右両側面をなす４側面板と、箱の一端開口を封じる蓋と、箱の他端開口を封じる蓋とからなり、前記４側面板のうちの１側面板の一端又は両端に蓋の開封用に溝形の破断線を有し、当該破断線で囲まれた破断部を押し破り、前記１側面板から切り離すことにより、蓋を開封する形式の包装用箱において、
前記破断線は、前記１側面板に２重に形成されて、切り込み部と繋ぎ部とからなる内側の破断線と、切り込み部と繋ぎ部とからなる外側の破断線とを備え、
前記内側の破断線の繋ぎ部、前記外側の破断線の繋ぎ部はそれぞれ、前記外側の破断線の切り込み部、前記内側の破断線の切り込み部に対向して形成され、
蓋を開封する際に、前記１側面板の前記破断部を押し破ることにより、前記破断部を前記１側面板から切り離し、この破断部の切り離しの作用により前記内側の破断線の繋ぎ部で前記１側面板の前記内側の破断線と前記外側の破断線との間の中間部分を引張り歪み変形させるとともに、前記中間部分を前記外側の破断線の繋ぎ部で止めて前記外側の破断線に沿って残す、
ことを特徴とする開封痕跡残置機能付き包装用箱。
【請求項２】
内側の破断線又は外側の破断線のいずれか一方の破断線は、当該一方の破断線の中央が繋ぎ部で、この中央の繋ぎ部の両側から当該一方の破断線の両端部方向に切り込み部と繋ぎ部が交互に形成され、他方の破断線は、当該他方の破断線の中央が切り込み部で、この中央の切り込み部の両側から当該他方の破断線の両端部方向に繋ぎ部と切り込み部が交互に形成される請求項１に記載の開封痕跡残置機能付き包装用箱。
【請求項３】
内側、外側の各破断線は略Ｕ字形若しくは略半円形に形成される請求項１又は２に記載の開封痕跡残置機能付き包装用箱。
【請求項４】
内側、外側の各破断線は略台形若しくは略コ字形に形成され、外側の破断線の各角部に繋ぎ部が設けられる請求項１又は２に記載の開封痕跡残置機能付き包装用箱。
【請求項５】
内側、外側の各破断線の両端部は共に１側面板の一端又は両端の端縁部に近接される請求項１乃至４のいずれかに記載の開封痕跡残置機能付き包装用箱。
【請求項６】
内側の破断線の両端部は１側面板の一端又は両端の端縁部に近接され、外側の破断線の両端部は前記１側面板の一端又は両端の端縁部から離間される請求項１乃至４のいずれかに記載の開封痕跡残置機能付き包装用箱。
【発明の詳細な説明】
【技術分野】
【０００１】
本発明は、医薬品その他各種の物品を包装するのに使用する包装用箱に関し、特に、開封後の箱に開封の痕跡を残すようにして、箱内のものが使用中あるいは使用済みであることなどの箱の管理や、また、箱内のものの抜き取り、改竄などを含む箱の不正開封の防止に有用な開封痕跡残置機能付き包装用箱に関する。
【背景技術】
【０００２】
一般に医薬品の包装に使用される包装用箱が例えば特許文献１により提案されている。この種の包装用箱は、特許文献１に開示されているように、一枚のブランクシートから一体的に打ち抜かれて形成される一枚の紙基材（板紙）から形成され、箱の正面、背面及び左右両側面をなす４側面板と、箱の一端開口を封じるための一方の蓋、この場合、上の開口を封じる上蓋と、箱の他端開口を封じるための他方の蓋、この場合、下の開口を封じる下蓋とにより構成され、上蓋、下蓋はそれぞれ、箱の３側面板の端縁部から延びる一対のフラップ、及び先端に差し込み片を有する蓋（所謂３枚フラップ）、又は箱の４側面板の端縁部から延びる一対のフラップ、及び内蓋、外蓋（所謂４枚フラップ）からなる。この種の包装用箱ではまた、特許文献１に開示されているように、箱の正面をなす側面板（以下の背景技術、課題に関する説明において、正面板という。）と上蓋との間及び正面板と下蓋との間、又はそのいずれか一方（通常、正面板と上蓋との間）に開封用の破断線が併せて設けられる。この場合、上蓋が３枚フラップからなる箱では、破断線は、ミシン目加工により、箱の正面板の上端中央に正面板の上端縁部から下方に向けて略溝形形状（略コ字形）に形成される。上蓋が４枚フラップからなる箱では、破断線は、ミシン目加工により、箱の正面板の上端中央に外蓋と正面板との間の罫線から下方に向けて略溝形形状（略コ字形）に形成され、さらにその両端から罫線上にその左右両端まで直線状に形成される。このようにして箱の上の開口を上蓋で封止する際に、上蓋が３枚フラップの場合、上の開口に一対のフラップ、蓋が順次閉じられ、蓋先端の差し込み片が正面板の内側に差し込まれて、この差し込み片と正面板が溝形の破断線で囲まれた部分に塗布された糊（ホットメルト）を介して接着され、上蓋が４枚フラップからなる箱の場合、一対のフラップ、内蓋、外蓋が順次閉じられ、内蓋と外蓋との間に塗布された糊（ホットメルト）を介して接着される。なお、上蓋は封緘テープを用いて接合されることもある。
【０００３】
医薬品はこのような箱に包装され、この箱を開封するときは、箱の略溝形の破断線で囲まれた部分を手の指（通常、親指）で押し破ることにより、蓋（３枚フラップの場合）又は外蓋（４枚フラップの場合）を正面板から切り離すようになっている。このような開封形式を取ることで、開封後の箱に開封の痕跡が残り、箱内のものが使用中あるいは使用済みであることなどの箱の管理や、箱内のものの抜き取り、改竄などを含む箱の不正開封の防止に有用なものとなる。
【先行技術文献】
【特許文献】
【０００４】
【特許文献１】実用新案登録第３１９９７６１号公報
【発明の概要】
【発明が解決しようとする課題】
【０００５】
しかしながら、上記従来の包装用箱のような開封形式では、図１３（１）、（２）に示すように、箱Ｂを開封するときに、破断線Ｃを押し破り、破断線Ｃで囲まれた部分（破断部Ｆ１）を正面板Ｆから切り離すので、正面板Ｆの上端に開封した痕跡が残されるものの、この場合、正面板Ｆの上端の一部が破断部Ｆ１として正面板Ｆから破断線Ｃに沿ってきれいに切り離されて蓋Ｕに移り、正面板Ｆの上端には溝Ｆ０がきれいに残るので、箱Ｂの蓋Ｕを開けて箱Ｂから医薬品などを取り出した後、箱Ｂを蓋Ｕで再封したときに、図１３（３）に示すように、蓋Ｕに移された正面板Ｆの一部、つまり、蓋Ｕの破断部Ｆ１が正面板Ｆの溝Ｆ０に合致して恰も未開封のように見えて、箱Ｂの管理に支障が出ることがあり、また、箱Ｂの不正開封が行われたときでも、蓋Ｕに移った正面板Ｆの一部（破断部Ｆ１）を正面板Ｆの溝Ｆ０に恰も未開封のように巧妙に戻されてしまうおそれがある、という問題がある。特に、多くの医薬品用の箱を取り扱う医療機関や調剤薬局、またドラッグストアなどでは、図１４に示すように、多数の箱が棚などに整然と並べて置かれるので、多くの未開封の箱の中から開封済みの箱を一目して視認することは難しい。
【０００６】
本発明は、このような従来の問題に鑑みなされたもので、この種の包装用箱において、一度開封した箱にその痕跡を顕著に残すようにして、箱内のものが使用中あるいは使用済みであることなど箱の管理をより確実に行えるようにすること、また、箱内のものの抜き取り、改竄などを含む箱の不正開封をより確実に防止できるようにすること、を目的とする。
【課題を解決するための手段】
【０００７】
上記目的を達成するために、本発明は、板紙から形成され、箱の正面、背面及び左右両側面をなす４側面板と、箱の一端開口を封じる蓋と、箱の他端開口を封じる蓋とからなり、前記４側面板のうちの１側面板の一端又は両端に蓋の開封用に溝形の破断線を有し、当該破断線で囲まれた破断部を押し破り、前記１側面板から切り離すことにより、蓋を開封する形式の包装用箱において、前記破断線は、前記１側面板に２重に形成されて、切り込み部と繋ぎ部とからなる内側の破断線と、切り込み部と繋ぎ部とからなる外側の破断線とを備え、前記内側の破断線の繋ぎ部、前記外側の破断線の繋ぎ部はそれぞれ、前記外側の破断線の切り込み部、前記内側の破断線の切り込み部に対向して形成され、蓋を開封する際に、前記１側面板の前記破断部を押し破ることにより、前記破断部を前記１側面板から切り離し、この破断部の切り離しの作用により前記内側の破断線の繋ぎ部で前記１側面板の前記内側の破断線と前記外側の破断線との間の中間部分を引張り歪み変形させるとともに、前記中間部分を前記外側の破断線の繋ぎ部で止めて前記外側の破断線に沿って残す、ことを要旨とする。
【０００８】
また、この包装用箱は、各部が次のような構成を備えることが好ましい。
（１）内側の破断線又は外側の破断線のいずれか一方の破断線は、当該一方の破断線の中央が繋ぎ部で、この中央の繋ぎ部の両側から当該一方の破断線の両端部方向に切り込み部と繋ぎ部が交互に形成され、他方の破断線は、当該他方の破断線の中央が切り込み部で、この中央の切り込み部の両側から当該他方の破断線の両端部方向に繋ぎ部と切り込み部が交互に形成される。
（２）内側、外側の各破断線は略Ｕ字形若しくは略半円形に形成される。
（３）内側、外側の各破断線は略台形若しくは略コ字形に形成され、外側の破断線の各角部に繋ぎ部が設けられる。
（４）内側、外側の各破断線の両端部は共に１側面板の一端又は両端の端縁部に近接される。
（５）内側の破断線の両端部は１側面板の一端又は両端の端縁部に近接され、外側の破断線の両端部は前記１側面板の一端又は両端の端縁部から離間される。
【発明の効果】
【０００９】
本発明の開封痕跡残置機能付き包装用箱によれば、破断線が、１側面板に２重に形成されて、切り込み部と繋ぎ部とからなる内側の破断線と、切り込み部と繋ぎ部とからなる外側の破断線とを備え、内側の破断線の繋ぎ部、外側の破断線の繋ぎ部がそれぞれ、外側の破断線の切り込み部、内側の破断線の切り込み部に対向して形成され、蓋を開封する際に、１側面板の破断部を押し破ることにより、破断部を１側面板から切り離し、この破断部の切り離しの作用により内側の破断線の繋ぎ部で１側面板の内側の破断線と外側の破断線との間の中間部分を引張り歪み変形させるとともに、この中間部分を外側の破断線の繋ぎ部で止めて外側の破断線に沿って残すようにしたので、一度開封した箱にその痕跡を顕著に残して、箱内のものが使用中あるいは使用済みであることなどの箱の管理をより確実に行うことができ、また、箱内のものの抜き取り、改竄などを含む箱の不正開封をより確実に防止することができる、という本発明独自の格別な効果を奏する。
【図面の簡単な説明】
【００１０】
【図１】本発明の第１の実施の形態における開封痕跡残置機能付き包装用箱の全体構成を示す斜視図
【図２】同包装用箱の正面板の上端に形成された開封用の破断線を示す要部拡大図（（ａ）は開封前の破断線の状態を示す図（ｂ）は開封後の破断線の状態を示す図）
【図３】同包装用箱の組み立て前の紙基材（板紙）を示す平面図（箱の展開図）
【図４】同包装用箱の開封前、開封後、再封後の状態を示す斜視図（（ａ）は開封前の状態を示す図（ｂ）は開封後の状態を示す図（ｃ）は再封後の状態を示す図）
【図５】同包装用箱が多数ある中で、そのうちの一つが開封された場合の開封後の箱に残される開封の痕跡の状態を示す図
【図６】本発明の第２の実施の形態における開封痕跡残置機能付き包装用箱の全体構成を示す斜視図
【図７】同包装用箱の正面板の上端に形成された開封用の破断線を示す要部拡大図（（ａ）は開封前の破断線の状態を示す図（ｂ）は開封後の破断線の状態を示す図）
【図８】同包装用箱の組み立て前の紙基材（板紙）を示す平面図（箱の展開図）
【図９】本発明の第１、第２の各実施の形態における包装用箱の開封用の破断線の変更例を示す図（（ａ）は開封前の破断線の状態を示す図（ｂ）は開封後の破断線の状態を示す図）
【図１０】（図９に示す）同包装用箱の変更例において、開封用の破断線の要部を示す図
【図１１】本発明の第１、第２の各実施の形態における包装用箱の開封用の破断線の変更例を示す図（（ａ）は開封前の破断線の状態を示す図（ｂ）は開封後の破断線の状態を示す図）
【図１２】本発明の第１、第２の各実施の形態における包装用箱の開封用の破断線の変更例を示す図（（ａ）は開封前の破断線の状態を示す図（ｂ）は開封後の破断線の状態を示す図）
【図１３】従来の開封用の破断線を有する包装用箱の開封前、開封後、再封後の状態を示す斜視図（（ａ）は開封前の状態を示す図（ｂ）は開封後の状態を示す図（ｃ）は再封後の状態を示す図）
【図１４】同包装用箱が多数ある中で、そのうちの一つが開封された場合の開封後の箱に残される開封の痕跡の状態を示す図
【発明を実施するための形態】
【００１１】
次に、この発明を実施するための形態について図を用いて説明する。
【００１２】
図１、図６に開封痕跡残置機能付き包装用箱を示している。図１、図６に示すように、開封痕跡残置機能付き包装用箱Ｂ１、Ｂ２（以下、単に包装用箱Ｂ１、Ｂ２、箱Ｂ１、Ｂ２と称する場合がある。）は、医薬品の包装に用いる箱で、板紙から形成され、箱Ｂ１、Ｂ２の正面、背面及び左右両側面をなす４側面板１１−１４、と、箱Ｂ１、Ｂ２の一端開口を封じる蓋Ａ１、と、箱Ｂ１、Ｂ２の他端開口を封じる蓋Ａ２とからなり、４側面板１１−１４、のうちの１側面板１２の一端又は両端に蓋Ａ１、Ａ２の開封用に溝形の破断線Ｃ１、Ｃ２を有し、この破断線Ｃ１、Ｃ２で囲まれた破断部Ｆ１を押し破り、１側面板１２から切り離すことにより、蓋Ａ１、Ａ２を開封する形式になっている。
【００１３】
そして、これらの包装用箱Ｂ１、Ｂ２では、特に、破断線Ｃ１、Ｃ２が、１側面板１２に２重に形成されて、切り込み部と繋ぎ部とからなる内側の破断線Ｃ１１、Ｃ２１と、切り込み部と繋ぎ部とからなる外側の破断線Ｃ１２、Ｃ２２とを備え、内側の破断線Ｃ１１、Ｃ２１の繋ぎ部、外側の破断線Ｃ１２、Ｃ２２の繋ぎ部がそれぞれ、外側の破断線Ｃ１２、Ｃ２２の切り込み部、内側の破断線Ｃ１１、Ｃ２１の切り込み部に対向して形成され、蓋Ａ１を開封する際に、１側面板の破断部Ｆ１を押し破ることにより、破断部Ｆ１を１側面板１２から切り離し、この破断部Ｆ１の切り離しの作用により内側の破断線Ｃ１１、Ｃ２１の繋ぎ部で１側面板１２の内側の破断線Ｃ１１、Ｃ２１と外側の破断線Ｃ１２、Ｃ２２との間の中間部分Ｃ１３、Ｃ２３を引張り歪み変形させるとともに、この中間部分Ｃ１３、Ｃ２３を外側の破断線Ｃ１２、Ｃ２２の繋ぎ部で止めて外側の破断線Ｃ１２、Ｃ２２に沿って残すようにしてある。
【００１４】
図１は第１の実施の形態を示している。図１に示すように、この包装用箱Ｂ１は、所謂板紙と呼ばれる比較的厚さがあり直立性のある紙材により形成され、４側面１１−１４（右側面板１１、１側面板１２に当たる正面板１２、左側面板１３、背面板１４）と、これら４側面１１−１４の一端開口、この場合、上の開口を封じるための上蓋Ａ１として、左右の各側面板１１、１３の上端縁部から延びる２つの上のフラップ１６、１８（図３参照）、及び背面板１４の上端縁部から延びる先端に差し込み片２０１（図３参照）を有する上の蓋２０と、他端の開口、この場合、下の開口を封じるための下蓋Ａ２として、左右の各側面板１１、１３の下端縁部から延びる２つの下のフラップ１７、１９（図３参照）、及び背面板１４の下端縁部から延びる先端に差し込み片２１１を有する下の蓋２１（図３参照）とを備える。
【００１５】
この場合、４側面１１−１４はそれぞれ縦（上下方向）に長い長方形に形成される。４側面１１−１４の２つの上のフラップ１６、１８はそれぞれ略台形に形成され、上の蓋２０は略四角形に、その差し込み片２０１は横長、角丸の帯状に、それぞれ、形成される。４側面１１−１４の２つの下のフラップ１７、１９はそれぞれ略台形に形成され、下の蓋２１は略四角形に、その差し込み片２１１は横長、角丸の帯状に、それぞれ、形成される。
【００１６】
かくして箱Ｂ１は、上下の各開口がそれぞれ、２つの上のフラップ１６，１７、及び上の蓋２０、２つの下のフラップ１８，１９、及び下の蓋２１により閉じられ、上下の各蓋２０、２１の各差し込み片２０１、２１１が正面板１２の内側に差し込まれ，各差し込み片２０１、２１１と正面板１２が糊付けにより接着されて、全体として縦に長い直方体状に構成される。
【００１７】
そして、この包装用箱Ｂ１では、箱Ｂ１の上部から開封可能に、箱Ｂ１の正面板１２の上端中央に、破断線Ｃ１が、ミシン目加工により、正面板１２の上端縁部から反対側の下端縁部に向けて略溝形形状、この場合、略Ｕ字形に形成され、上の蓋２０の差し込み片２０１が正面板１２の内面で溝形の破断線Ｃ１で囲まれた破断部Ｆ１に糊（ホットメルト）を介して接着される。なお、上の蓋２０の差し込み片２０１が正面板１２に糊付けされるのに代えて、上の蓋２０が正面板１２に封緘テープにより接合されてもよい。この場合、封緘テープは正面板１２の溝形の破断部Ｆ１から上の蓋２０に跨って貼付される。また、この場合、下の蓋２１も、下の蓋２１の差し込み片２１１が正面板１２の内面に糊（ホットメルト）を介して接着される。この下の蓋２１もまた正面板１２に同様に封緘テープにより接合されてもよい。
【００１８】
このようにして正面板１２の上端の溝形の破断線Ｃ１で囲まれた破断部Ｆ１を指先で押し破り、この破断部Ｆ１を正面板１２から切り離すことにより、箱Ｂ１が開封され、上の蓋２０を引き上げて、箱Ｂ１に包装された医薬品を取り出せるようになっている。
【００１９】
この箱Ｂ１において、破断線Ｃ１は正面板１２に２重の破断線Ｃ１１、Ｃ１２からなり、この２重の破断線Ｃ１１、Ｃ１２により新たな開封痕跡残置機能が付加される。
【００２０】
図２（ａ）に示すように、この破断線Ｃ１は、１側面板に２重に形成されて、切り込み部２２と繋ぎ部２３とからなる内側の破断線Ｃ１１と、切り込み部２２と繋ぎ部２３とからなる外側の破断線Ｃ１２とを備える。この場合、内側の破断線Ｃ１１は、略Ｕ字形に形成され、その中央が繋ぎ部２３で、この中央の繋ぎ部２３の両側から内側の破断線Ｃ１１の両端部方向に切り込み部２２と繋ぎ部２３が交互に形成される。この破断線Ｃ１１の両端部は正面板１２の上端縁部に近接される。このようにして内側の破断線Ｃ１１の特に中央部分にあっては、中央に繋ぎ部２３、その両側に切り込み部２２、繋ぎ部２３が順次形成される。外側の破断線Ｃ１２は、内側の破断線Ｃ１１の外側に、内側の破断線Ｃ１１との間に所定の間隔をあけて、内側の破断線Ｃ１１に沿って、略Ｕ字形に形成され、その中央が切り込み部２２で、この中央の切り込み部２２の両側から外側の破断線Ｃ１２の両端部方向に繋ぎ部２３と切り込み部２２が交互に形成される。この破断線Ｃ１２の両端部は正面板１２の上端縁部から少し離間される。このようにして外側の破断線Ｃ１２の特に中央部分にあっては、中央に切り込み部２２、その両側に繋ぎ部２３、切り込み部２２が順次形成される。かくして内側の破断線Ｃ１１の繋ぎ部２３、外側の破断線Ｃ１２の繋ぎ部２３がそれぞれ、外側の破断線Ｃ１２の切り込み部２２、内側の破断線Ｃ１１の切り込み部２２に対向して形成される。なお、ここで各破断線Ｃ１１、Ｃ１２の「切り込み部２２」は正面板１２の表面から裏面まで達する切り込みである。切り込み部２２は長く、繋ぎ部２３は短く形成され、切り込み部２２は繋ぎ部２３の長さの３倍若しくは４倍程の長さを有している。また、この場合、内側の破断線Ｃ１１と外側の破断線Ｃ１２との間の間隔が切り込み部２２の幅よりも少し大きくなっており、外側の破断線Ｃ１２が内側の破断線Ｃ１１に対して比較的離間して設けられる。つまり、内側の破断線Ｃ１１と外側の破断線Ｃ１２との間の中間部分Ｃ１３は比較的幅広になっている。
【００２１】
この包装用箱Ｂ１は、一枚のブランクシートから一体的に打ち抜かれて形成された一枚の紙基材（Ｐ１）からなり、この紙基材（Ｐ１）は各部が所定の順序で折り曲げられ、所定の各接着位置が接着固定されて組み立てられる。
【００２２】
図３にこの紙基材Ｐ１を示している。なお、この図３には紙基材Ｐ１の表面（組み立て後に表側となる面）が現れている。図３に示すように、この紙基材Ｐ１は、全体が上下方向に長い直方体形状に組み立て可能に、直方体形状に組み立て後の状態で、右側面板１１、正面板１２、左側面板１３、背面板１４、及び右側面板１１に重合されて背面板１４と右側面板１１との連結板１５をなす相互に折れ線Ｌ１−Ｌ４を介して連接して形成される４側面板形状部Ｐ１１−Ｐ１５（右側面板形状部Ｐ１１、正面板形状部Ｐ１２、左側面板形状部Ｐ１３、背面板形状部Ｐ１４、及び連結板形状部Ｐ１５）と、右側面板形状部Ｐ１１及び左側面板形状部Ｐ１３の上下両端にそれぞれ折れ線Ｌ５，Ｌ６及びＬ７，Ｌ８を介して形成され、直方体形状に組み立て後の状態で上の右のフラップ１６、下の右のフラップ１７及び上の左のフラップ１８、下の左のフラップ１９をなす上のフラップ形状部Ｐ１６、下のフラップ形状部Ｐ１７及び上のフラップ形状部Ｐ１８、下のフラップ形状部Ｐ１９と、背面板形状部Ｐ１４の上下方向の両端にそれぞれ折れ線Ｌ９、Ｌ１０を介して形成され、直方体形状に組み立て後の状態で上の蓋２０をなす蓋形状部Ｐ２０及びこの蓋形状部Ｐ２０の先端延長上に折れ線Ｌ１１を介して連続して形成され、上の蓋２０の差し込み片２０１をなす差し込み片形状部Ｐ２０１、下の蓋２１をなす蓋形状部Ｐ２１及びこの蓋形状部Ｐ２１の先端延長上に折れ線Ｌ１２を介して連続して形成され、下の蓋２１の差し込み片２１１をなす差し込み片形状部Ｐ２１１と、を有する。
【００２３】
この場合、４側面板形状部Ｐ１１−Ｐ１５はそれぞれ上下に長い長方形に形成され、正面板形状部Ｐ１２、背面板形状部Ｐ１４がそれぞれ右側面板形状部Ｐ１１、左側面板形状部Ｐ１３よりも少し幅広に形成される。なお、連結板形状部Ｐ１５は背面板形状部Ｐ１４の左側縁部に沿って略台形に右側面形状部Ｐ１１よりも幅狭に形成される。上、下のフラップ形状部Ｐ１６、Ｐ１７、Ｐ１８、Ｐ１９はそれぞれ略台形状に、上下の蓋形状部Ｐ２０、Ｐ２１の長さ（高さ）のおよそ半分程の長さ（高さ）に形成される。上下の各蓋形状部Ｐ２０（差し込み片形状部Ｐ２０１を除く）、Ｐ２１（差し込み片形状部Ｐ２１１を除く）はそれぞれ、箱Ｂ１の上下の開口と略同じ大きさの略四角形状に形成され、上下の各蓋形状部Ｐ２０、Ｐ２１の各差し込み片形状部Ｐ２０１、Ｐ２１１はそれぞれ、適宜大きさの横長の帯状（この場合、半レーストラック形状）に形成される。
【００２４】
そして、正面板形状部Ｐ１２の上端中央に、開封用の破断線Ｃ１が、ミシン目加工により、正面板形状部Ｐ１２の上端縁部から下方に向けて２重の略溝形形状、この場合、２重の略Ｕ字形に形成されて、内側の破断線Ｃ１１と外側の破断線Ｃ１２とからなる。内側、外側の各破断線Ｃ１１、Ｃ１２は既述のとおりである（段落００２０、図２参照）。
【００２５】
かくして紙基材Ｐ１は各形状部Ｐ１１−Ｐ２１、Ｐ２０１，Ｐ２１１が各折れ線Ｌ１−Ｌ１０、Ｌ１１，Ｌ１２を介して折り曲げられ、縦（上下方向）に長い直方体形状の箱形に組み立てられる。すなわち、正面板１２をなす正面板形状部Ｐ１２に対して右側面板形状部Ｐ１１が折れ線Ｌ１を介して直角に折り曲げられて右側面板１１をなし、同様に、正面板形状部Ｐ１２に対して左側面板形状部Ｐ１３が折れ線Ｌ２を介して直角に折り曲げられて左側面板１３をなし、この左側面板１３に対して背面板形状部Ｐ１４が折れ線Ｌ３を介して直角に折り曲げられて背面板１４をなす。そして、この背面板１４に対して連結板形状部Ｐ１５が折れ線Ｌ４を介して直角に折り曲げられ、右側面板１１の内側に重合されて連結板１５をなす。この右側面板１１の内側で右側面板１１と連結板１５が糊（エマルション型）を介して連結され、これにより４側面１１−１４、１５が組み立てられる。この状態から、右、左の各側面板１１、１３の下の右、左の各フラップ形状部Ｐ１７、Ｐ１９が折れ線Ｌ６、Ｌ８を介して直角に折り曲げられて下の右、左の各フラップ１７、１９をなし、背面板１４の下の蓋形状部Ｐ２１が折れ線Ｌ１０を介して直角に折り曲げられて下の蓋２１をなし、下の蓋２１先端の差し込み片形状部Ｐ２１１が折れ線Ｌ１２を介して直角に折り曲げられて差し込み片２１１をなす。この差し込み片２１１と正面板１２が糊（ホットメルト）を介して接着され、底面が封止される。そして、右、左の各側面板１１、１３の上の右、左の各フラップ形状部Ｐ１６、Ｐ１８が折れ線Ｌ５、Ｌ７を介して直角に折り曲げられて右、左の各フラップ１６、１８をなし、背面板１４の上の蓋形状部Ｐ２０が折れ線Ｌ９を介して直角に折り曲げられて上の蓋２０をなし、差し込み片形状部Ｐ２０１が折れ線Ｌ１１を介して内側に略直角に折り曲げられて差し込み片２０１をなす。この差し込み片２０１と正面板１２が溝形の破断線Ｃ１で囲まれた部分に塗布された糊（ホットメルト）を介して接着され、天面が封止される。
【００２６】
このようにして紙基材Ｐ１から包装用箱Ｂ１が直方体形状の箱形に組み立てられ、正面板１２の上端中央に、開封痕跡残置機能を有する開封用の２重の破断線Ｃ１１、Ｃ１２が備えられる。
【００２７】
包装用箱Ｂ１はこのようにして構成され、例えば錠剤やカプセルなどの医薬品が複数個ずつこの箱Ｂ１に包装されて、例えば医療機関や調剤薬局、またドラッグストアなどへ供給される。そして、例えば医療機関や調剤薬局では、この包装用箱Ｂ１を開封して箱Ｂ１から医薬品を取り出すときは、図４（１）、（２）に示すように、正面板１２の上端の溝形の破断線Ｃ１で囲まれた部分、すなわち、破断部Ｆ１を押し破って、この破断部Ｆ１を正面板１２から切り離す。これにより、箱Ｂ１が開封され、上の蓋２０を引き上げれば、箱Ｂ１から医薬品を取り出すことができる。
【００２８】
この場合、図４（１）、（２）に示すように、正面板１２の破断部Ｆ１が押し破られると、この破断部Ｆ１が正面板１２の内側の破断線Ｃ１１の下部中央からその両側へ順次切り離されて略Ｕ字形に破断されるとともに、内側の破断線Ｃ１１と外側の破断線Ｃ１２との間の中間部分Ｃ１３が破断部Ｆ１との間の各繋ぎ部２３により部分的に引張られて歪み変形し外側の破断線Ｃ１２に沿って残される。この場合、破断線Ｃ１が、図２（ａ）に示すように、正面板１２の上端に２重に略Ｕ字形に形成されて、切り込み部２２と繋ぎ部２３とからなる略Ｕ字形の内側の破断線Ｃ１１と、切り込み部２２と繋ぎ部２３とからなる略Ｕ字形の外側の破断線Ｃ１２とを備え、内側の破断線Ｃ１１の繋ぎ部２３、外側の破断線Ｃ１２の繋ぎ部２３がそれぞれ、外側の破断線Ｃ１２の切り込み部２２、内側の破断線Ｃ１１の切り込み部２２に対向して形成されるので、上蓋Ａ１を開封する際に、正面板１２の破断部Ｆ１を押し破ると、図２（ｂ）に示すように、破断部Ｆ１が正面板１２から略Ｕ字形の内側の破断線Ｃ１１に沿って切り離され、この破断部Ｆ１の切り離しの作用（すなわち、破断部Ｆ１を指先で押したときに破断部Ｆ１の内側の破断線Ｃ１１に沿う外周部に生じる破断部Ｆ１の被押圧部に向けて引張られる力）により内側の破断線Ｃ１１の繋ぎ部２３で正面板１２の内側の破断線Ｃ１１と外側の破断線Ｃ１２との間の中間部分Ｃ１３が破断部Ｆ１の切り離し方向に引張られて歪み変形し、この場合、この中間部分Ｃ１３の幅が比較的広いことから、きれいな波形又ははっきりしたギザギザに変形し、この波形又はギザギザに変形した中間部分Ｃ１３が外側の破断線Ｃ１２の繋ぎ部２３で止められて（とどめられて）外側の破断線Ｃ１２に沿って残される。
このため、箱Ｂ１から医薬品を取り出した後、図４（３）に示すように、箱Ｂ１を上の蓋２０で再封したときに、蓋２０側に移された正面板１２の一部、つまり、蓋２０側の破断部Ｆ１が正面板１２の破断部Ｆ１の切り離し後の溝Ｆ０にぴったりと嵌まり込んだとしても、正面板１２に形成された溝Ｆ０の縁部（外側の破断線Ｃ１２）全体に既述の波形又はギザギザの中間部分Ｃ１３が残されるので、これが極めて目立ち、箱Ｂ１を開封された痕跡が顕著に残される。これにより、図５に示すように、箱Ｂ１が開封済になっていることが瞬時に（パッと見で）分かり、箱Ｂ１内のものが使用中あるいは使用済みであることなどの箱Ｂ１の管理を確実に実施することができる。
また、ドラッグストアなどでは、この包装用箱Ｂ１に収容された医薬品が陳列棚などに載せられることとなるが、この場合に、箱Ｂ１の不正開封を行おうとすると、既述のとおり、正面板１２に形成された溝Ｆ０の縁部（外側の破断線Ｃ１２）全体に既述の波形又はギザギサの中間部分Ｃ１３がハッキリと残されるので、上の蓋２０側に移った正面板１２の一部（破断部Ｆ１）を正面板１２の溝Ｆ０に未開封のように戻すことは困難で、箱Ｂ１の不正開封をより強固に防止することができる。
【００２９】
以上説明したように、この開封痕跡残置機能付き包装用箱Ｂ１によれば、破断線Ｃ１が、正面板１２に２重に略Ｕ字形に形成されて、切り込み部２２と繋ぎ部２３とからなる略Ｕ字形の内側の破断線Ｃ１１と、切り込み部２２と繋ぎ部２３とからなる略Ｕ字形の外側の破断線Ｃ１２とを備え、内側の破断線Ｃ１１の繋ぎ部２３、外側の破断線Ｃ１２の繋ぎ部２３がそれぞれ、外側の破断線Ｃ１２の切り込み部２２、内側の破断線Ｃ１１の切り込み部２２に対向して形成され、上蓋Ａ１を開封する際に、正面板１２の破断部Ｆ１を押し破ることにより、破断部Ｆ１を正面板１２から切り離し、この破断部Ｆ１の切り離しの作用により内側の破断線Ｃ１１の繋ぎ部２３で正面板１２の内側の破断線Ｃ１１と外側の破断線Ｃ１２との間の中間部分Ｃ１３を引張り歪み変形させるとともに、この中間部分Ｃ１３を外側の破断線Ｃ１２の繋ぎ部２３で止めて外側の破断線Ｃ１２に沿って残すようにしたので、一度開封した箱Ｂ１にその痕跡を顕著に残して、箱Ｂ１内のものが使用中あるいは使用済みであることなどの箱Ｂ１の管理をより確実に行うことができ、また、箱Ｂ１内のものの抜き取り、改竄などを含む箱Ｂ１の不正開封をより確実に防止することができる。
【００３０】
図６に第２の実施の形態を示している。第１の実施の形態では、包装用箱Ｂ１を、上蓋Ａ１、下蓋Ａ２がそれぞれ、箱の３側面板１１、１３、１４の端縁部から延びる一対のフラップ１６，１７、１８，１９及び先端に差し込み片２０１，２１１を有する蓋２０，２１からなる所謂３枚フラップの箱として例示したが、第２の実施の形態では、所謂４枚フラップの包装用箱Ｂ２を例示している。
【００３１】
図６に示すように、包装用箱Ｂ２は、一枚のブランクシートから一体的に打ち抜かれて形成される一枚の紙基材（板紙）から形成され、箱Ｂ２の正面、背面及び左右両側面をなす４側面板１１−１４と、箱Ｂ２の上の開口を封じる上蓋Ａ１と、箱Ｂ２の下の開口を封じる下蓋Ａ２とにより構成され、上蓋Ａ１、下蓋Ａ２はそれぞれ、箱の４側面板１１−１４の端縁部から延びる一対のフラップ１６，１７、１８，１９、及び内蓋３２，３４、外蓋３１，３３からなる（図８参照）。この包装用箱Ｂ２では、箱Ｂ２の正面をなす側面板１２（以下、正面板１２という。）と上蓋Ａ１（特に外蓋３１）との間に開封用の破断線Ｃ２が併せて設けられる。この場合、破断線Ｃ２は、ミシン目加工により、箱Ｂ２の正面板１２の上端中央に上の外蓋３２と正面板１２との間の罫線から下方に向けて略溝形形状に形成され、さらにその両端から正面板１２の上端縁部の罫線上にその左右両端まで直線状に形成される。
【００３２】
この箱Ｂ２においても、破断線Ｃ２は正面板１２に２重に破断線Ｃ２１、Ｃ２２が形成され、この２重の破断線Ｃ２１、Ｃ２２により新たな開封痕跡残置機能が付加される。
【００３３】
図７に示すように、この破断線Ｃ２は、正面板１２に２重に形成されて、切り込み部２２と繋ぎ部２３とからなる内側の破断線Ｃ２１と、切り込み部２２と繋ぎ部２３とからなる外側の破断線Ｃ２２とを備える。この場合、内側の破断線Ｃ２１は、略半円形に形成され、その中央が繋ぎ部２３で、この中央の繋ぎ部２３の両側から内側の破断線Ｃ２１の両端部方向に切り込み部２２と繋ぎ部２３が交互に形成される。この破断線Ｃ２１の両端部は正面板１２の上端縁部に近接される。外側の破断線Ｃ２２は、内側の破断線Ｃ２１の外側に、内側の破断線Ｃ２１との間に所定の間隔をあけて、内側の破断線Ｃ２１に沿って、略半円形に形成され、その中央が切り込み部２２で、この中央の切り込み部２２の両側から外側の破断線Ｃ２２の両端部方向に繋ぎ部２３と切り込み部２２が交互に形成される。この破断線Ｃ２２の両端部は正面板１２の上端縁部から少し離間される。かくして内側の破断線Ｃ２１の繋ぎ部２３、外側の破断線Ｃ２２の繋ぎ部２３がそれぞれ、外側の破断線Ｃ２２の切り込み部２２、内側の破断線Ｃ２１の切り込み部２２に対向して形成される。なお、ここで破断線Ｃ２の「切り込み部２２」は正面板１２の表面から裏面まで達する切り込みである。切り込み部２２は長く、繋ぎ部２３は短く形成され、切り込み部２２は繋ぎ部２３の長さの３倍若しくは４倍程の長さを有している。また、この場合、内側の破断線Ｃ２１と外側の破断線Ｃ２２との間の間隔が切り込み部２２の幅よりも少し大きくなっており、外側の破断線Ｃ２２が内側の破断線Ｃ２１に対して比較的離間して設けられる。
【００３４】
この包装用箱Ｂ２もまた、一枚のブランクシートから一体的に打ち抜かれて形成された一枚の紙基材（Ｐ２）からなり、この紙基材（Ｐ２）は各部が所定の順序で折り曲げられ、所定の各接着位置が接着固定されて組み立てられる。
【００３５】
図８にこの紙基材Ｐ２を示している。なお、この図８には紙基材Ｐ２の表面（組み立て後に表側となる面）が現れている。図８に示すように、この紙基材Ｐ２は、４側面板形状部Ｐ１１−Ｐ１５（右側面板形状部Ｐ１１、正面板形状部Ｐ１２、左側面板形状部Ｐ１３、背面板形状部Ｐ１４、及び連結板形状部Ｐ１５）が第１の実施の形態で例示する紙基材Ｐ１の４側面板と概ね同様の構成を備え、右側面板形状部Ｐ１１及び左側面板形状部Ｐ１３の上下両端にそれぞれ、組み立て後の状態で上の右のフラップ１６、下の右のフラップ１７及び上の左のフラップ１８、下の左のフラップ１９をなす上のフラップ形状部Ｐ１６、下のフラップ形状部Ｐ１７及び上のフラップ形状部Ｐ１８、下のフラップ形状部Ｐ１９が折れ線Ｌ５，Ｌ６及びＬ７，Ｌ８を介して第１の実施の形態と若干異なる台形状に形成され、背面板形状部Ｐ１４の上下方向の両端にそれぞれ、組み立て後の状態で上、下の内蓋３２、３４をなす内蓋形状部Ｐ３２、Ｐ３４が折れ線Ｌ９、Ｌ１０を介して略四角形状に形成されるとともに、上の内蓋形状部Ｐ３２には内蓋形状部Ｐ３２の先端延長上に内蓋３２の差し込み片３２１をなす差し込み片形状部Ｐ３２１が折れ線Ｌ１１を介して連続して適宜大きさの横長の帯状（この場合、半レーストラック形状）に形成され、そして、第１の実施の形態と異なり、正面板形状部Ｐ１２の上下方向の両端にそれぞれ、組み立て後の状態で上、下の外蓋３１、３３をなす外蓋形状部Ｐ３１、Ｐ３３が折れ線Ｌ１１、Ｌ１２を介して略台形状に形成される。
【００３６】
そして、正面板形状部Ｐ１２の上端中央に、開封用の破断線Ｃ２が、ミシン目加工により、正面板形状部１２の上端縁部から下方に向けて２重の略溝形形状、この場合、２重の略半円形に形成されて、内側の破断線Ｃ２１と外側の破断線Ｃ２２とからなる。内側、外側の各破断線Ｃ２１、Ｃ２２は既述のとおりである（段落００３３、図７参照）。
【００３７】
かくして紙基材Ｐ２は４側面板形状部１１−１４（１５）が第１の実施の形態と同様に折り曲げられ連結されて組み立てられる。この状態から、右、左の各側面板１１、１３の下の右、左の各フラップ形状部Ｐ１７、Ｐ１９が折れ線Ｌ６、Ｌ８を介して直角に折り曲げられて下の右、左の各フラップ１７、１９をなし、背面板１４の下の内蓋形状部Ｐ３４が折れ線Ｌ１０を介して直角に折り曲げられて下の内蓋３４をなし、正面板１２の下の外蓋形状部Ｐ３３が折れ線Ｌ１２を介して直角に折り曲げられて下の外蓋３３をなし、内蓋３４の上に外蓋３３が重ねられて、内蓋３４と外蓋３３との間に糊（ホットメルト）を介して接着され、底面が封止される。そして、右、左の各側面板１１、１３の上の右、左の各フラップ形状部Ｐ１６、Ｐ１８が折れ線Ｌ５、Ｌ７を介して直角に折り曲げられて右、左の各フラップ１６、１８をなし、背面板１４の上の内蓋形状部Ｐ３２が折れ線Ｌ９を介して直角に折り曲げられて上の内蓋３２をなし、差し込み片形状部Ｐ３２１が折れ線Ｌ１１を介して内側に略直角に折り曲げられて差し込み片３２１をなし、背面板１４の上の外蓋形状部Ｐ３１が折れ線Ｌ１１を介して直角に折り曲げられて上の外蓋３１をなし、内蓋３２の上に外蓋３１が重ねられて、内蓋３２と外蓋３１との間に糊（ホットメルト）を介して接着され、天面が封止される。なお、上の外蓋３１は封緘テープを用いて接合されることもある。
【００３８】
このようにして紙基材Ｐ２から包装用箱Ｂ２が直方体形状の箱形に組み立てられ、正面板１２の上端中央にそれぞれ、開封痕跡残置機能を有する開封用の２重の破断線Ｃ２が備えられる。
【００３９】
このようにしても、図７（ｂ）に示すように、破断部Ｆ２が押し破られると、破断部Ｆ２が略半円形に切り離され、内側、外側の破断線Ｃ２１、Ｃ２２との間の中間部分Ｃ２３が略半円形で波形又はギザギザに変形されて外側の破断線Ｃ２２に沿って残される点、つまり、破断部Ｆ２及び中間部分Ｃ２３の形状（外形）が第１の実施の形態と異なるだけで、第１の実施の形態と同様の作用効果を奏する。
【００４０】
第１、第２の各実施の形態において破断線は次のように変更可能である。
（１）第１、第２の各実施の形態では、２重の破断線Ｃ１１，Ｃ１２、Ｃ２１，Ｃ２２が略Ｕ字形、略半円形を呈するものとしたが、図９（ａ）に示すように、内側、外側の各破断線Ｃ３１、Ｃ３２の形状は、略台形若しくは略コ字形に変更可能であり、さらに、略Ｖ字形又は略円弧形状に形成されてもよい。このようにしても、図９（ｂ）に示すように、上記各実施の形態と同様の作用効果を奏することができる。
（２）上記（１）に関連して、内側、外側の各破断線Ｃ３１、Ｃ３２が略台形若しくは略コ字形に形成される場合、図１０（ｂ−１）に示すように、外側の破断線Ｃ３２の各角部に繋ぎ部２３が設けられることが好ましい。図１０（ａ−１）に示すように、外側の破断線Ｃ３２の各角部に繋ぎ部２３がない場合、図１０（ａ−２）に示すように、破断部Ｆ３を押し破る際の力の入り方によって、内側、外側の破断線Ｃ３１、Ｃ３２間の中間部分Ｃ３３が変形されないことがあり、図１０（ｂ−１）に示すように、外側の破断線Ｃ３３の各角部に繋ぎ部３２を設けることで、この問題が改善され、図１０（ｂ−２）に示すように、破断部Ｆ３の破断とともに、内側、外側の破断線Ｃ３１、Ｃ３２間の中間部分Ｃ３３が確実に変形される。この場合、正面板１２の破断部Ｆ３が押し破られると、この破断部Ｆ３が正面板１２の内側の破断線Ｃ３１に沿って、この場合、内側の破断線Ｃ３１の下部の直線状の中央部分、その両側の直線状の部分が順次切り離されるとともに、内側の破断線Ｃ３１と外側の破断線Ｃ３２との間の中間部分Ｃ３３が破断部Ｆ３との間の各繋ぎ部２３により部分的に引張られて歪み変形し外側の破断線Ｃ３２に沿って残される。
（３）第１、第２の各実施の形態では、２重の破断線Ｃ１１，Ｃ１２間、Ｃ２１，Ｃ２２間の中間部分Ｃ１３、Ｃ２３が各破断線Ｃ１１，Ｃ１２、Ｃ２１，Ｃ２２の切り込み部２２の幅よりも少し大きくして比較的幅広に形成されるものとしたが、図１１（ａ）、図１２（ａ）に示すように、この中間部分Ｃ１３、Ｃ３３が各破断線Ｃ１１，Ｃ１２、Ｃ３１，Ｃ３２の切り込み部２２の幅と略同じか少し幅狭に形成されてもよい。このようにすると、図１１（ｂ）、図１２（ｂ）に示すように、中間部分Ｃ１３、Ｃ３３の幅が小さい分だけ破断部Ｆ１、Ｆ３の破断後の変形（つまり、波形又はギザギザの変形）が小さくなり、この中間部分Ｃ１３、Ｃ３３が上記各実施の形態に比べて目立ち方の点で若干劣後するが、このようにしても上記各実施の形態と概ね同様の作用効果を奏することができる。この２重の破断線Ｃ１１，Ｃ１２間、Ｃ３１，Ｃ３２間の各中間部分Ｃ１３、Ｃ３３を比較的幅広にするか幅狭にするかは、この箱を使用するユーザーの好みによるところである。
（４）第１、第２の各実施の形態では、内側の破断線Ｃ１１、Ｃ２１の両端部は１側面板の端縁部に近接され、外側の破断線Ｃ１２、Ｃ２２の両端部は１側面板の端縁部から離間されるものとしたが、内側、外側の各破断線Ｃ１１，Ｃ１２、Ｃ２１，Ｃ２２の両端部が共に１側面板の端縁部に近接されるものとしてもよい。このようにしても上記各実施の形態と概ね同様の作用効果を奏することができる。
（５）第１、第２の各実施の形態では、箱Ｂ１、Ｂ２の正面板１２の上端にのみ２重の破断線Ｃ１１，Ｃ１２、Ｃ２１，Ｃ２２が設けられるものとしたが、正面板１２の上端下端の両方に設けられてもよい。この場合、正面板１２の上下に２重の破断線Ｃ１、Ｃ２が形成されるので、箱Ｂ１、Ｂ２を上下どちらからでも簡単に開封することができ、箱Ｂ１、Ｂ２の上下どちらにも開封の痕跡を顕著に残すことができる。また、箱Ｂ１、Ｂ２の開封に使用しなかったどちらかの破断線は箱Ｂ１、Ｂ２を廃棄するときの箱Ｂ１、Ｂ２の解体用に用いることもできる。
（６）第１、第２の各実施の形態では、箱Ｂ１、Ｂ２が縦長で、上下両端が蓋Ａ１、Ａ２になっているものとしたが、箱が横長で、左右両端が蓋になっている場合も同様で、箱の１側面板の左右両端のどちらか一方又は左右両端に２重の破断線が設けられることで、上記各実施の形態と同様の作用効果を奏することができる。
【符号の説明】
【００４１】
Ｂ１、Ｂ２  開封痕跡残置機能付き包装用箱
１１  右側面板
１２  正面板
１３  左側面板
１４  背面板
１５  連結板
Ａ１  上蓋
Ａ２  下蓋
１６  フラップ
１７  フラップ
１８  フラップ
１９  フラップ
２０  蓋
２０１  差し込み片
２１  蓋
２１１  差し込み片
３１、３３  外蓋
３２、３４  内蓋
３２１  差し込み片
Ｃ１  破断線
Ｃ１１  内側の破断線
Ｃ１２  外側の破断線
Ｆ１  破断部
Ｆ０  溝
２２  切り込み部
２３  繋ぎ部
Ｃ１３  中間部分
Ｃ２  破断線
Ｃ２１  内側の破断線
Ｃ２２  外側の破断線
Ｆ２  破断部
Ｆ０  溝
Ｃ２３  中間部分
Ｃ３  破断線
Ｃ３１  内側の破断線
Ｃ３２  外側の破断線
Ｆ３  破断部
Ｆ０  溝
Ｃ３３  中間部分
Ｐ１、Ｐ２  紙基材
Ｐ１１  右側面板形状部
Ｐ１２  正面板形状部
Ｐ１３  左側面板形状部
Ｐ１４  背面板形状部
Ｐ１５  連結板形状部
Ｐ１６  フラップ形状部
Ｐ１７  フラップ形状部
Ｐ１８  フラップ形状部
Ｐ１９  フラップ形状部
Ｐ２０  蓋形状部
Ｐ２０１  差し込み片形状部
Ｐ２１  蓋形状部
Ｐ２１１  差し込み片形状部
Ｌ１−Ｌ１２  折れ線
Ｐ３１、Ｐ３３  外蓋形状部
Ｐ３２、Ｐ３４  内蓋形状部
Ｐ３２１  差し込み片形状部
【図１】
2020158179.tif 000003
【図２】
2020158179.tif 000004
【図３】
2020158179.tif 000005
【図４】
2020158179.tif 000006
【図５】
2020158179.tif 000007
【図６】
2020158179.tif 000008
【図７】
2020158179.tif 000009
【図８】
2020158179.tif 000010
【図９】
2020158179.tif 000011
【図１０】
2020158179.tif 000012
【図１１】
2020158179.tif 000013
【図１２】
2020158179.tif 000014
【図１３】
2020158179.tif 000015
【図１４】
2020158179.tif 000016